【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
カートリッジ装着部を備える印刷装置と、前記カートリッジ装着部に着脱可能に装着されるカートリッジと、を備える印刷材供給システムであって、
前記カートリッジ装着部は、装置側端子と位置決め部とを有する装置側端子部であって、前記カートリッジが装着される装着方向に交差する交差方向に移動可能な装置側端子部を有し、
前記カートリッジは、
前面と、前記前面と対向する後面と、前記前面および前記後面と交わる上面と、前記上面と対向する底面と、を備え、
前記前面と前記第上面とが交差するコーナー部に凹部が設けられ、
前記凹部に基板が配置され、前記基板は前記前面側に向かうにつれて前記底面側に傾斜しており、
前記基板の表面には端子が形成されており、
前記凹部の内壁の一部を構成する第１の側壁と第２の側壁とを有し、
前記第１の側壁と前記第２の側壁は、互いに対向して配置されており、
前記第１の側壁と前記第２の側壁には、前記前面側において開口し、前記後面に向かって延びる溝であって、前記装置側端子部の前記位置決め部が挿入されることで、前記装置側端子と前記端子とが接触する接触位置まで前記装置側端子と前記端子とを案内する溝が形成されている、印刷材供給システム。
【請求項２】
請求項１に記載の印刷材供給システムであって、
前記溝には、前記前面に向かうにつれて、開口面積が大きくなるようにテーパーが形成されている、印刷材供給システム。
【請求項３】
カートリッジ装着部を備える印刷装置と、前記カートリッジ装着部に着脱可能に装着されるカートリッジと、を備える印刷材供給システムであって、
前記カートリッジ装着部は、装置側端子と位置決め部とを有する装置側端子部であって、前記カートリッジが装着される装着方向に交差する交差方向に移動可能な装置側端子部を有し、
前記カートリッジは、
前面と、前記前面と対向する後面と、前記前面および前記後面と交わる上面と、前記上面と対向する底面と、を備え、
前記前面と前記上面とが交差するコーナー部に凹部が設けられ、
前記凹部に基板が配置され、前記基板は前記前面側に向かうにつれて前記底面側に傾斜しており、
前記基板の表面には端子が形成されており、
前記凹部の内壁の一部を構成する第１の側壁と第２の側壁とを有し、
前記第１の側壁と前記第２の側壁は、互いに対向して配置されており、
前記第１の側壁と前記第２の側壁には、互いに向かい合うように突出した凸部であって、前記装置側端子部の前記位置決め部が挿入されることで、前記装置側端子と前記端子とが接触する接触位置まで前記装置側端子と前記端子とを案内する凸部が形成されている、印刷材供給システム。
【手続補正２】
【補正対象書類名】明細書
【補正対象項目名】発明の名称
【補正方法】変更
【補正の内容】
【発明の名称】印刷材供給システム
【手続補正３】
【補正対象書類名】明細書
【補正対象項目名】００１３
【補正方法】変更
【補正の内容】
【００１３】
本発明は、上記の課題の少なくとも一部を解決するためになされたものであり、以下の形態または適用例として実現することができる。
［形態１］
カートリッジ装着部を備える印刷装置と、前記カートリッジ装着部に着脱可能に装着されるカートリッジと、を備える印刷材供給システムであって、
前記カートリッジ装着部は、装置側端子と位置決め部とを有する装置側端子部であって、前記カートリッジが装着される装着方向に交差する交差方向に移動可能な装置側端子部を有し、
前記カートリッジは、
前面と、前記前面と対向する後面と、前記前面および前記後面と交わる上面と、前記上面と対向する底面と、を備え、
前記前面と前記第上面とが交差するコーナー部に凹部が設けられ、
前記凹部に基板が配置され、前記基板は前記前面側に向かうにつれて前記底面側に傾斜しており、
前記基板の表面には端子が形成されており、
前記凹部の内壁の一部を構成する第１の側壁と第２の側壁とを有し、
前記第１の側壁と前記第２の側壁は、互いに対向して配置されており、
前記第１の側壁と前記第２の側壁には、前記前面側において開口し、前記後面に向かって延びる溝であって、前記装置側端子部の前記位置決め部が挿入されることで、前記装置側端子と前記端子とが接触する接触位置まで前記装置側端子と前記端子とを案内する溝が形成されている、印刷材供給システム。
［形態２］
上記形態に記載の印刷材供給システムであって、
前記溝には、前記前面に向かうにつれて、開口面積が大きくなるようにテーパーが形成されている、印刷材供給システム。
［形態３］
カートリッジ装着部を備える印刷装置と、前記カートリッジ装着部に着脱可能に装着されるカートリッジと、を備える印刷材供給システムであって、
前記カートリッジ装着部は、装置側端子と位置決め部とを有する装置側端子部であって、前記カートリッジが装着される装着方向に交差する交差方向に移動可能な装置側端子部を有し、
前記カートリッジは、
前面と、前記前面と対向する後面と、前記前面および前記後面と交わる上面と、前記上面と対向する底面と、を備え、
前記前面と前記上面とが交差するコーナー部に凹部が設けられ、
前記凹部に基板が配置され、前記基板は前記前面側に向かうにつれて前記底面側に傾斜しており、
前記基板の表面には端子が形成されており、
前記凹部の内壁の一部を構成する第１の側壁と第２の側壁とを有し、
前記第１の側壁と前記第２の側壁は、互いに対向して配置されており、
前記第１の側壁と前記第２の側壁には、互いに向かい合うように突出した凸部であって、前記装置側端子部の前記位置決め部が挿入されることで、前記装置側端子と前記端子とが接触する接触位置まで前記装置側端子と前記端子とを案内する凸部が形成されている、印刷材供給システム。
【手続補正４】
【補正対象書類名】明細書
【補正対象項目名】００３９
【補正方法】変更
【補正の内容】
【００３９】
次に、本発明の実施の形態を以下の順序で説明する。
Ａ．第１実施例：
Ｂ．規制部の変形態様：
Ｃ．変形例：
【手続補正５】
【補正対象書類名】明細書
【補正対象項目名】０１０５
【補正方法】変更
【補正の内容】
【０１０５】
図２７乃至図３０に示すように、凹部９０のＸ軸方向において対向する一対の側壁９０２ｔ，９０２ｗには、一対の溝９０６ｔ，９０６ｗがそれぞれ設けられている。これらの溝９０６ｔ，９０６ｗは、Ｘ軸方向に互いに向かい合うように設けられている。また、図２８に示すように、溝９０６ｔ，９０６ｗは、ＹＺ平面２８ｃに対して対称に設けられている。このＹＺ平面２８ｃは、カートリッジのＸ軸方向の寸法（幅）の中心を構成する面である。凹部９０内に配置される回路基板５０及び凹部９０を構成する各要素は、このＹＺ平面２８ｃに対して対称に設けられている。すなわち、ＹＺ平面２８ｃは、カートリッジ側端子群５２１のＸ軸方向の寸法（幅）の中心を通る。そして、カートリッジ側端子群５２１のうち、カートリッジ端子群５２１の幅方向の中心に設けられた電極５２１ｃが、ＹＺ平面２８ｃと交わる。また、ＹＺ平面２８ｃは、回路基板５０のＸ軸方向の寸法（幅）の中心を通る。また、このＹＺ平面２８ｃは、回路基板５０を底壁９８に取り付けるために底壁９８８に設けられた取付け部５０ａ，５０ｂを通る。また、ＹＺ平面２８ｃは、カートリッジ側端子群５２１のうち、Ｘ軸方向の中央部に設けられた端子５２１ｃを通る。この端子５２１ｃは、装置側端子群７２１のうち、Ｘ軸方向の中央部に設けられた端子７２１ｃ（図１６参照）と接触する端子である。また、凹部９０の溝９０６ｔ，９０６ｗと、一対の壁側壁９０２ｔ，９０２ｗは、ＹＺ平面２８ｃに対して対称に設けられる。さらに、ＹＺ平面２８ｃは、先に説明した第１凸部４３２（４３２ａ，４３２ｂ）及び第２凸部４４２（４４２ａ，４４２ｂ，図２１及び図２５参照）のＸ軸方向の寸法（幅）の中心を通る。また、図２８には示していないが、ＹＺ平面２８ｃは、第１側面４３に設けられた第１係止部４３６（図２５）及び第２側面４４に設けられた第２係止部４４６（図２５）のＸ軸方向の寸法（幅）の中心を通る。また、この第１係止部４３６及び第２係止部４４６を係止する板ばね６８４及び６０５（図６，図７）は、このＹＺ平面２８ｃと交差する。